【手続補正書】
【提出日】平成26年8月14日(2014.8.14)
【手続補正１】
【補正対象書類名】特許請求の範囲
【補正対象項目名】全文
【補正方法】変更
【補正の内容】
【特許請求の範囲】
【請求項１】
スクリーニング方法であって、
励起放射によりスクリーニングするよう対象物を照射するステップと、
対象物近傍に配置した放射検出器から検出器出力データを収集するステップと、
検出器出力データ内の個別信号を分解する分解ステップであって、(i)デジタル系列として検出器出力データを得るまたは表現するステップ、(ii)データ内に存在する信号の信号形状を決定するステップ、(iii)数学変換により信号形状を変換することによって変換した信号形状を形成するステップ、(iv)数学変換によりデジタル系列を変換することによって、変換した信号を有する変換したデジタル系列を形成するステップ、(v)少なくとも変換したデジタル系列および変換した信号形状の関数を評価し、これにより関数出力を得るステップ、(vi)モデルにより関数出力をモデル化するステップ、(vii)モデルに基づく関数出力の少なくとも一つのパラメータを決定するステップ、(viii)関数出力の少なくとも一つの決定したパラメータから信号のパラメータを決定するステップにより、前記分解を行う、該分解ステップと、
を備え、
スクリーニング時間を短縮し、ドウェル時間を短縮し、分解能を改善するおよび／またはスループットを増加する、方法。
【請求項２】
請求項１に記載の方法において、各前記信号のエネルギーを決定するステップは、前記数学モデルに基づいて前記信号の放射事象を示す振幅を決定するステップを備える、方法。
【請求項３】
請求項１に記載の方法において、ガンマ線の前記放射検出器上における入射流束が、７５ｋＨｚまたはそれ以上である方法。
【請求項４】
請求項１に記載の方法において、データスループットが、２５〜２５０ｋＨｚの範囲の入力計数率に関して９０％以上であることを特徴とする方法。
【請求項５】
請求項１に記載の方法において、データスループットが、入力計数率５０ｋＨｚに関して９０％以上であることを特徴とする方法。
【請求項６】
請求項１に記載の方法であって、データスループットが、２５〜１００ｋＨｚの範囲の入力計数率に関して９５％以上であることを特徴とする方法。
【請求項７】
請求項１に記載の方法において、データスループットが、２５ｋＨｚの入力計数率において９５％以上であることを特徴とする方法。
【請求項８】
請求項１に記載の方法であって、データスループットが、２５０〜２５００ｋＨｚの範囲の入力計数率に関して５０％以上であることを特徴とする方法。
【請求項９】
請求項１に記載の方法であって、データスループットが、２５０ｋＨｚの入力計数率に関して８０％以上であることを特徴とする方法。
【請求項１０】
スクリーニング装置であって、
スクリーンすべき対象物を照射する放射源と、
対象物が発生する放射を検出し、放射に応答する検出器データを出力する放射検出器と、
デジタル系列として検出器データを受信するプロセッサであって、(i)デジタル系列として検出器出力データを得るまたは表現するステップ、(ii)データ内に存在する信号の信号形状を得るまたは決定するステップ、(iii)数学変換により信号形状を変換することによって変換した信号形状を形成するステップ、(iv)数学変換によりデジタル系列を変換することによって、変換した信号を有する変換した系列を形成するステップ、(v)少なくとも変換した系列および変換した信号形状の関数を評価することにより関数出力を得るステップ、(vi)モデルにより関数出力をモデル化するステップ、(vii)モデルに基づく関数出力の少なくとも一つのパラメータを決定するステップ、(viii)関数出力の少なくとも一つの決定したパラメータから信号のパラメータを決定するステップを行うようにプログラムした、該プロセッサと、
を備え、
スクリーニング時間を短縮し、ドウェル時間を短縮し、分解能を改善するおよび／またはスループットを増加する、方法。
【請求項１１】
請求項１０に記載の装置において、前記放射源および放射検出器を互いに隣接配置し、これにより前記放射検出器は、対象物からの反射または後方散乱放射を検出するようにした、装置。
【請求項１２】
請求項１０に記載の装置において、前記放射源および放射検出器を離して配置する、または分離可能に構成し、これにより放射検出器は、対象物からの透過または前方散乱放射を検出するようにした、装置。
【請求項１３】
請求項１０に記載の装置において、前記プロセッサは、各前記信号のエネルギーを決定するステップは、前記数学モデルに基づいて前記信号の放射事象を示す振幅を決定するステップを実行するようにプログラミングされている、装置。
【請求項１４】
請求項１０に記載の装置において、貨物スクリーニング装置として構成した、装置。
【請求項１５】
請求項１０に記載の装置であって、爆発物検出装置として構成した、装置。
【請求項１６】
請求項１０に記載の装置であって、コンテナスクリーニング装置またはスクリーニングポータルとして構成した、装置。
【請求項１７】
請求項１０に記載の装置において、前記放射検出器は、入射流束が７５ｋＨｚまたはそれ以上であるガンマ線を検出するように構成された検出手段を具備する、装置。
【請求項１８】
請求項１０に記載の装置において、データスループットが、２５〜２５０ｋＨｚの範囲の入力計数率に関して９０％以上であることを特徴とする装置。
【請求項１９】
請求項１０に記載の装置において、データスループットが、入力計数率５０ｋＨｚに関して９０％以上であることを特徴とする装置。
【請求項２０】
請求項１０に記載の装置であって、データスループットが、２５〜１００ｋＨｚの範囲の入力計数率に関して９５％以上であることを特徴とする装置。
【請求項２１】
請求項１０に記載の装置において、データスループットが、２５ｋＨｚの入力計数率において９５％以上であることを特徴とする装置。
【請求項２２】
請求項１に記載の装置であって、データスループットが、２５０〜２５００ｋＨｚの範囲の入力計数率に関して５０％以上であることを特徴とする装置。
【請求項２３】
請求項１０に記載の装置であって、データスループットが、２５０ｋＨｚの入力計数率に関して８０％以上であることを特徴とする装置。
【請求項２４】
対象物または複数対象物内の化学的要素をスクリーニングする方法であって、
スクリーニング装置の放射検出器から検出器出力データを収集するステップと、
検出器出力データにおける個別信号を分解する分解ステップであって、(i)デジタル系列として検出器出力データを得るまたは表現するステップ、(ii)データ内に存在する信号の信号形状を得るまたは決定するステップ、(iii)数学的変換により信号形状を変換することによって変換した信号形状を形成するステップ、(iv)数学的変換によりデジタル系列を変換することによって、変換した信号を有する変換した系列を形成するステップ、(v)少なくとも変換した系列および変換した信号形状の関数を評価し、これにより関数出力を得るステップ、(vi)モデルにより関数出力をモデル化するステップ、(vii)モデルに基づく関数出力の少なくとも一つのパラメータを決定するステップ、（viii）関数出力の少なくとも一つの決定したパラメータから信号のパラメータを決定するステップにより、前記解を行う、該分解ステップと、
対象物または複数対象物における前記化学的要素の存在から生ずる少なくとも前記信号形状、パラメータ、信号形状のエネルギーから前記化学的要素の量を決定するステップと、
を備え、
スクリーニング時間を短縮し、ドウェル時間を短縮し、分解能を改善するおよび／またはスループットを増加する、方法。